(57)【要約】【課題】六角棒レンチ１において、六角穴が摩滅して、ボルトを回すことができなくなることを防止する。【解決手段】六角穴を備えたボルトの締め付け具である六角棒レンチ１の先端部分のうち、六角穴への挿入部分1aを長さ方向に３つの領域に区分し、六角穴に挿入される先端領域４と六角穴の開口端部分に挿入される基端領域５を六角穴に嵌合する六角軸とする。先端領域４と基端領域５の間に六角穴に嵌合しない細径部である中間領域６を形成する。六角棒レンチとの嵌合によって六角穴の先端領域と基端領域が摩滅したボルトは、通常の六角棒レンチを用いて六角穴の中間領域に嵌合させることによって回すことができる。【選択図】  図２
2013013974.tif 000002
【特許請求の範囲】
【請求項１】
六角穴を備えたボルトの締め付け具である六角棒レンチの先端部分のうち、六角穴への挿入部分を長さ方向に３以上の複数の領域に区分し、六角穴に挿入される先端領域と六角穴の開口端部分に挿入される基端領域を六角穴に嵌合する六角軸とし、先端領域と基端領域の間に六角穴に嵌合しない細径部である中間領域を形成したことを特徴とする六角棒レンチ。
【請求項２】
六角穴に挿入される六角棒レンチの挿入部分を略三等分に区分し、先端領域と基端領域を六角軸に形成したことを特徴とする請求項１記載の六角棒レンチ。
【請求項３】
六角穴に挿入される挿入部分の基端領域と六角穴に挿入されない部分の境界を目視することができる目印を設けることを特徴とする請求項１又は２記載の六角棒レンチ。
【発明の詳細な説明】
【技術分野】
【０００１】
この発明は、六角穴付きボルトや六角穴付き止めねじのように、頭部上面に六角穴を備えたボルトの締め付け具である六角棒レンチ、特に六角棒レンチの六角穴に挿入する部分の構造に関する発明である。
【背景技術】
【０００２】
六角棒レンチの一般的な構造は、六角穴に嵌挿できる六角軸をＬ形に折曲形成している。六角棒レンチの先端部分の形状、構造として特許文献１に開示されるように、断面が六角形状である球状の膨出部を形成し、斜め方向に挿入しても締め付けやねじ戻しができる、ボールポイント付きの六角棒レンチが知られている。
その他、特許文献２には、六角棒レンチの両端に大きさが異なる嵌合部を形成し、異なる大きさのボルトを締め付けることができる思想が、特許文献３には、嵌入部の断面形状を角孔に内接する形状とし、その外周面を角孔内周面との間で摩擦力を生じる面に形成する思想、例えば嵌入部の外周面を粗面とする他、１２角形とする思想が開示されている。また、特許文献４には六角棒の先端部に六角穴に嵌合し易くするための突起を形成する思想が開示されている。
【先行技術文献】
【特許文献】
【０００３】
【特許文献１】実開昭５５−１０３１６４号公報
【特許文献２】特開平７−２３７１４０号公報
【特許文献３】特開２００２−２００５６８号公報
【特許文献４】実用新案登録第３１２０８５８号公報
【発明の概要】
【発明が解決しようとする課題】
【０００４】
六角棒レンチによって、ボルトの締め付け動作や緩める動作を繰り返し行なった場合や強く締め付け過ぎた場合、六角穴の内面が次第に摩滅し、やがて六角棒レンチが嵌合しない状態となることがある。この場合、ボルトを回動させること、すなわちボルトを取り外すことができなくなってしまう。
特許文献１に開示された、ボールポイント付きの六角棒レンチでは、六角穴に対して斜め方向に挿入して、ボルトの締め付けや緩め動作を行なうことができるものであるが、六角穴の中間位置でのみ強く嵌合するため、六角穴の摩滅を助長する傾向があり、六角穴の摩滅を防ぐものではない。
【０００５】
特許文献２に開示された発明は、異なる大きさのボルトに対応することができるが、六角穴の摩滅防止には何ら寄与するものではない。また、特許文献３に記載された発明は、六角穴の内周面と六角棒レンチの外周面の摩擦力でボルトを締め付ける発想であるが、この発明では十分な締め付け力を伝えることができないとともに、六角穴内面の摩滅を助長する可能性があるという欠点があった。さらに、特許文献４に記載された発明では、六角棒レンチの六角軸の先端に突起を形成することによって、六角穴に対する嵌合が浅くなり、六角穴の摩滅を助長する可能性がある。
【０００６】
従来の六角棒レンチでは、六角穴の内面が摩滅した場合に、ボルトを回すこと、すなわち締め付けることは勿論、緩めて取り外すこともできなくなってしまう欠点があった。
本発明は、上記従来技術の欠点に鑑み、ボルトの締め付けや緩め動作の繰り返しによって、ボルトの六角穴が摩滅するようなことがあっても、少なくとも六角穴の一部に摩滅していない部分を残し、通常の六角棒レンチを用いてボルトを緩め、少なくとも取り外すことができる六角棒レンチを提供することを目的とするものである。
【課題を解決するための手段】
【０００７】
請求項１記載の発明は、六角穴３を備えたボルト２の締め付け具である六角棒レンチ１の先端部分のうち、六角穴３への挿入部分1aを長さ方向に３以上の複数の領域に区分する。区分した領域のうち、六角穴３に挿入される先端領域４と六角穴３の開口端部分に挿入される基端領域５を六角穴３に嵌合する六角軸とし、先端領域４と基端領域５の間に六角穴３に嵌合しない細径部である中間領域６を形成する。
【０００８】
請求項２記載の発明は、六角穴３に挿入される六角棒レンチの挿入部分を略三等分に区分し、先端領域４と基端領域５を六角軸に形成することである。
請求項３記載の発明は、ボルトの六角穴に挿入される六角棒レンチの基端領域５と六角穴に挿入されない部分の境界を目視することができる目印を設けることである。
【発明の効果】
【０００９】
請求項１記載の発明によれば、六角棒レンチの挿入部分1aを六角穴３に挿入したとき、六角穴３に嵌合しているのは、六角穴３の内奥に嵌合する先端領域４と、六角穴３の開口端部分である基端領域８に嵌合する基端領域５のみであって、中間領域６は嵌合しない。したがって、繰り返しの締め付け動作や緩め動作、あるいは強い力での締め付けによって六角穴３が摩滅するようなことがあっても、中間領域６の位置に相当する六角穴３の中間領域９は摩滅することがない。六角穴３の摩滅によって六角棒レンチ１が空回りをした場合、中間領域に細径部を形成していない通常の六角棒レンチを用いることによって、六角穴の中間領域９と六角軸が嵌合し、ボルト２を緩めて取り外すことができる。
【００１０】
請求項２記載の発明によれば、締め付け力が六角棒レンチ１の挿入部分1aの先端領域４と基端領域５とで全長Ｌの三分の二の範囲で嵌合し、ボルト２の締め付けに際し適度なバランスとなって嵌合部分に過大な力が作用することがない。六角穴と六角棒レンチの六角軸が嵌合しない中間領域６は、挿入部分1a全長Ｌの略三分の一である。六角棒レンチによって六角穴３が摩滅したボルト３を改めて締め付けて使用するのは望ましくない。したがって、中間領域６を挿入部分1a全長Ｌの略三分の一程度とすることにより、摩滅したボルトは緩めて取り外すことはできるが、強い力で締め付けて再度利用するには適さない状態を実現し、結果としてボルト３を安全に利用することができる。
【００１１】
本発明に係る六角棒レンチは、六角穴３に対して常に規定寸法Ｌ、すなわち挿入部分1aを確実に挿入することによって、六角穴３内における摩滅範囲が一定し、請求項１や請求項２の効果を確実に実現するものである。
請求項３記載の発明によれば、挿入部分1aが確実に六角穴３内に挿入されているか否かを視認することができ、本発明に係る六角棒レンチを効果的に使用することができる。
【図面の簡単な説明】
【００１２】
【図１】図１は、本発明に係る六角棒レンチの実施形態を示す斜視図、
【図２】図２は、先端部分を拡大して示す、六角棒レンチの正面図、
【図３】図３は、六角棒レンチの先端部分をボルトの六角穴に挿入した状態を示す断面図、
【図４】図４は、本発明六角棒レンチによって六角穴が摩滅した状態を示す縦断面図、
【図５】図５は、図４に示す六角穴に通常の六角棒レンチを挿入した状態を示す縦断面図、
【図６】図６は、別の実施形態を示す六角棒レンチの先端部分をボルトの六角穴に挿入した状態を示す縦断面図である。
【発明を実施するための形態】
【００１３】
以下、本発明に係る六角棒レンチの実施形態を、添付の図面に基づいて説明する。
図１は、本発明に係る六角棒レンチの実施形態を示す斜視図、図２は、正面図である。
【００１４】
図１、図２に示す六角棒レンチ１は、長寸の六角軸を長辺1Ａと短辺1Ｂとで構成するＬ型に折曲し、長辺1Ａの先端部は直線的な六角軸である通常のレンチ形状に形成したものである。そして、短辺1Ｂの先端部分のうち、六角穴３への挿入部分1aは、その全長Ｌを略３三等分に区分し、区分した領域のうち六角穴３に挿入される先端領域４と六角穴３の開口端部分に挿入される基端領域５を六角穴３に嵌合する六角軸とし、先端領域４と基端領域５の間の中間領域６を、六角穴３に嵌合しない細径部としている。
【００１５】
六角棒レンチ１は、ボルト２の六角穴３に対して支障なく挿入するために、僅かなクリアランスを保持させている。僅かなクリアランスが存在することによって、六角棒レンチ１によってボルト３を締め付けると、僅かであっても六角軸が遊動し、六角軸の遊動にともなって六角軸の頂点が、ボルト２の六角穴３の内面を磨耗させるように作用して六角穴３が拡大されていく。この磨耗が積み重なって、六角棒レンチ１の六角軸がボルト２の六角穴３内で空回りするようになる可能性がある。
【００１６】
図１、図２に示す本発明に係る六角棒レンチ１においては、前記六角軸によって六角穴３の摩滅が生じる範囲は、六角棒レンチ１の挿入部分1aの先端領域４と基端領域５のみである。そして、図４に示すように六角棒レンチ１の先端領域４と基端領域５による摩滅は、図４に示すように六角穴３の先端領域７と基端領域８であって、中間領域９は摩滅しない。すなわち、六角穴の先端領域７と基端領域８が、六角棒レンチ１の六角軸の外接円に等しい直径Ｄにまで摩滅すると、ボルト２を回すことができなくなる。
【００１７】
六角穴３の摩滅によって、ボルト２を回すことができなくなった場合、図５に示すように、六角穴３に通常の六角棒レンチを挿入することによって六角棒レンチの六角軸がボルト孔３の中間領域９に嵌合し、ボルト２を回動させることができる。図１に示す実施形態の六角棒レンチでは、長辺1Ａを通常の六角軸としているので、短辺1Ｂの先端部分と長辺1Ａの先端部分を使い分けることによって、通常の六角棒レンチとして、別の六角棒レンチを準備する必要がない。
【００１８】
公知のボールポイント付きのレンチでは、ボールポイントの最大径部分が六角穴に嵌合するものであるため、六角穴３の先端領域７と基端領域８が摩滅したボルト２は、ボールポイントによっても回すことができる。従って、短辺1Ｂの先端を本発明に係る構造とし、長辺1Ａの先端にボールポイントを形成することによって、ボールポイントの機能と、本発明の機能の両方を備えた六角棒レンチを実現することができる。
【００１９】
本発明の基本思想は、ボルト２の六角穴３内において、六角棒レンチの六角軸と嵌合する領域と嵌合しない領域を形成することであり、任意数の領域に区分して実施することが可能である。しかしながら、あまり細かく区画すると摩滅しない領域の幅が細くなり過ぎるため、摩滅後に十分な力を伝えることが困難になる。そのため、区分する領域の数は三つ程度が適当である。さらに、ボルト２の六角穴３と嵌合する嵌合領域を、先端領域４と基端領域５とすることによって六角穴に対してバランスよく嵌合させ、ボルトに対して十分な締め付け力を伝えることができる。
【００２０】
六角穴３が摩滅したボルトは、例え本発明によって取り外すことができるとしても、再度使用するのは好ましいものではない。したがって、本発明は六角穴が摩滅したボルトを取り外すことを主目的とし、六角穴を摩滅させない中間領域６は、挿入部分1aの全長Ｌの三分の一程度、すなわち、少なくともボルトを緩める力を伝えることができる程度とし、取り外したボルトを再利用しないように実施することが好ましい。
【００２１】
しかしながら、図６に示すように、中間領域６を挿入部分1aの全長Ｌの二分の一程度とし、ボルト２を緩めるときに六角穴３の中間領域９が摩滅する可能性が少ないとともに、ある程度強い力でボルト２の締め付けを可能とし、ボルト３を再度使用することを前提として実施することもできる。
【００２２】
本発明に係る六角棒レンチ１は、六角穴３の奥まできちんと挿入され、六角棒レンチの先端領域４及び基端領域５を、ボルト２の六角穴３の同じ位置に嵌合させて使用するのが好ましい。六角穴に対する六角棒レンチの先端部の挿入深さ、換言すれば六角棒レンチの先端領域４及び基端領域５との嵌合位置が異なると、六角穴３内における摩滅位置も変化する。そのため、六角穴３内において摩滅しない部分である中間領域９が十分に形成されない可能性がある。
【００２３】
上記、六角穴内における、摩滅しない中間領域が十分に形成されない可能性を回避するため、六角穴３に挿入される挿入部分1aの基端領域５と六角穴に挿入されない部分の境界を視認するできる目印を設けるのが好ましい。挿入される部分と挿入されない部分の境界を示す目印として、六角穴３に挿入される部分を着色しておき、作業時に着色部分が見えるときは六角軸が所定位置まで挿入されていないと認識できるようにしておくことができる。一例として、図２において点描で示すように、目印として挿入部分1aの基端領域４に着色をほどこす。勿論、六角棒レンチ全体を着色し、挿入部分1aの着色を省略することもできる。上記、着色による目印の他、六角軸の外表面に目印となる線を刻設しておくこともできる。
【符号の説明】
【００２４】
１…六角棒レンチ、  1a…挿入部分、  1Ａ…長辺、  1Ｂ…短辺、  ２…ボルト、  ３…六角穴、    ４…先端領域、  ５…基端領域、  ６…中間領域、  ７…先端領域、  ８…基端領域、  ９…中間領域。
【図１】
2013013974.tif 000003
【図２】
2013013974.tif 000004
【図３】
2013013974.tif 000005
【図４】
2013013974.tif 000006
【図５】
2013013974.tif 000007
【図６】
2013013974.tif 000008